(57)【要約】【課題】噴出すべき液体の物性にかかわらず、操作レバーの牽曳に要する力を低減しながらも、液垂れを有効に抑制したトリガー式液体噴出器を提供する。【解決手段】トリガー式液体噴出器１は、操作レバー３を繰り返し牽曳して容器内の液体を吸引し、加圧し、圧送するポンプ４と、圧送された液体を通過させる送給経路１０を有するボディ２と、圧送された液体を外界に向けて噴射する噴射ノズル５とを備える。ボディ２の送給経路１０の末端と噴射ノズル５の間に、弁座部１１を備える弁室１２を形成し、弁室１２内に蓄圧弁１３を配設する。蓄圧弁１３は、基部１４及び傘部１５からなる。傘部１５は、液体の送給圧が規定圧力以下の場合には弁座部１１と液密に当接し、液体の送給圧が規定圧力を超えた場合には弾性的に変形して弁室１２の弁座部１１から離反する。周方向における少なくとも一部に、他の部分に比較して弁座部に対する傘部の当接力が低い部分を設ける。【選択図】図１
2008229445.tif 000002
【特許請求の範囲】
【請求項１】
操作レバーを繰り返し牽曳して容器内の液体を吸引し、加圧し、圧送するポンプと、このポンプによって圧送された液体を通過させる送給経路を有するボディと、このボディの送給経路の末端に配置され送給経路を通って圧送された液体を外界に向けて噴射する噴射ノズルとを備えたトリガー式液体噴出器において、
前記ボディの送給経路末端と噴射ノズルの間に、弁座部を備える弁室を形成するとともに、この弁室内に蓄圧弁を配設し、
前記蓄圧弁は、前記弁室内に蓄圧弁を固定するための基部と、この基部から傘状に広がり、液体の送給圧が規定圧力以下の場合には前記弁室の弁座部と液密に当接して前記送給経路を閉塞状態に保持し、液体の送給圧が前記規定圧力を超えた場合には弾性的に変形して前記弁室の弁座部から離反する傘部とからなり、周方向における少なくとも一部に、他の部分に比較して弁座部に対する傘部の当接力が低い部分を設けたことを特徴とするトリガー式液体噴出器。
【請求項２】
前記弁室内に、前記蓄圧弁の傘部と当接する少なくとも１個の突起部を形成してなる、請求項１に記載のトリガー式液体噴出器。
【請求項３】
前記弁室及び蓄圧弁はそれぞれ円形の正面視輪郭形状を有し、互いに偏心して配置される、請求項１又は２に記載のトリガー式液体噴出器。
【請求項４】
前記弁室及び蓄圧弁のうち、一方が円形の正面視輪郭形状を有し、他方が楕円形の正面視輪郭形状を有し、互いに同心に配置される、請求項１又は２に記載のトリガー式液体噴出器。
【請求項５】
前記蓄圧弁の傘部は、前記基部側の端部から先端部までの縦断面長さが周方向において変化する、請求項１〜４のいずれか一項に記載のトリガー式液体噴出器。
【請求項６】
前記蓄圧弁の傘部は、周方向における少なくとも一部に、他の部分に比較して肉厚が小さい部分を設ける、請求項１〜５のいずれか一項に記載のトリガー式液体噴出器。
【請求項７】
花粉ケア剤、帯電防止剤、しわ取り剤及び消臭剤の中から選択される液体を収容した容器に取り付けて使用する、請求項１〜６のいずれか一項に記載のトリガー式液体噴出器。
【発明の詳細な説明】
【技術分野】
【０００１】
この発明は、操作レバーを繰り返し牽曳して容器内の液体を吸引し、加圧し、圧送するポンプと、このポンプによって圧送された液体を通過させる送給経路を有するボディと、このボディの送給経路の末端に配置され送給経路を通って圧送された液体を外界に向けて噴射する噴射ノズルとを備えたトリガー式液体噴出器に関するものであり、特にかかる液体噴出器の操作レバーの牽曳に要する力の低減と液垂れの防止を図る。
【背景技術】
【０００２】
トリガー式液体噴出器は、噴射ノズルを取り付けたボディに、液体の吸引、加圧、圧送を司るポンプ機構を組み込み、該ポンプ機構を、ばね部材にて弾性支持された操作レバーによって駆動する構造を有しており、近年では、カビ取り剤、洗剤、衣料用糊剤、住居用ワックス、整髪剤、芳香剤等の液体を霧状又は泡状にして噴出させるために多用されている。
【０００３】
このようなトリガー式液体噴出器においては、操作レバーの牽曳に伴うポンプ機構内の圧力の上昇及び下降に従ってノズルから液体が噴出するが、送給経路内の圧力不足又は残圧に起因して噴出開始時又は噴出終了後に液体がノズルから垂れる、いわゆる液垂れが生じることがあった。
【０００４】
かかる液垂れを防止するため、送給経路の開口側に、スプリングで弾性支持され、送給経路内の圧力変化に応じて前後に摺動して噴射ノズルを開閉する蓄圧弁を配置したトリガー式液体噴出器が知られている（例えば特許文献１参照。）。かかる液体噴出器では、送給経路内の圧力がスプリングの弾性力を超えるまで噴出が開始されないことから、噴出開始時の液垂れが抑制され、一方、吐出終了後にはスプリングにより蓄圧弁が噴射ノズルに押圧されることから、送給経路内に残圧があっても噴射ノズルを閉塞状態に維持でき、噴出終了後の液垂れが抑制される。
【０００５】
また、特許文献２には、蓄圧弁としてスカート状の弾性弁体を採用し、この外周を送液経路の壁面に圧接させることで、蓄圧弁とノズル孔との間に残存する液体を少なくした液体噴出器が記載されている。
【０００６】
【特許文献１】特開２００５−２８８２５６号公報
【特許文献２】特開２０００−７０７８７号公報
【発明の開示】
【発明が解決しようとする課題】
【０００７】
しかし、特許文献１に記載されたような液体噴出器では、蓄圧弁を支持するスプリングの弾性力を超える送給圧を発生させる必要があるため、特に液体の噴出量を増大させるために蓄圧弁の横断面積を大きくした場合に、操作レバーの牽曳に要する力が大きくなり、これを避けるためにスプリングの弾性力を小さくすると液垂れが生じやすくなるという問題があった。さらに、噴出すべき液体の物性によっては、弁体の円滑な摺動が妨げられ、これが一層の操作レバーの牽曳に要する力の増大と液垂れを招くという問題もあった。特許文献２にはこうした弁体の摺動を排除した液体噴出器が提案されているが、操作レバーの牽曳に要する力に関してはなお改善の余地が残されていた。
【０００８】
この発明は、従来技術が抱えるこのような問題点を解決することを課題とするものであり、その目的は、噴出すべき液体の物性にかかわらず、操作レバーの牽曳に要する力を低減しながらも、液垂れを有効に抑制したトリガー式液体噴出器を提供することにある。
【課題を解決するための手段】
【０００９】
上記の目的を達成するため、この発明は、操作レバーを繰り返し牽曳して容器内の液体を吸引し、加圧し、圧送するポンプと、このポンプによって圧送された液体を通過させる送給経路を有するボディと、このボディの送給経路の末端に配置され送給経路を通って圧送された液体を外界に向けて噴射する噴射ノズルとを備えたトリガー式液体噴出器において、前記ボディの送給経路末端と噴射ノズルの間に、弁座部を備える弁室を形成するとともに、この弁室内に蓄圧弁を配設し、前記蓄圧弁は、前記弁室内に蓄圧弁を固定するための基部と、この基部から傘状に広がり、液体の送給圧が規定圧力以下の場合には前記弁室の弁座部と液密に当接して前記送給経路を閉塞状態に保持し、液体の送給圧が前記規定圧力を超えた場合には弾性的に変形して前記弁室の弁座部から離反する傘部とからなり、周方向における少なくとも一部に、他の部分に比較して弁座部に対する傘部の当接力が低い部分を設けたことを特徴とするトリガー式液体噴出器である。かかる構成を採用することにより、比較的小さな牽曳力で操作レバーを作動しても、蓄圧弁を摺動させることなく確実に開閉することが可能となる。
【００１０】
また、上記の構成になるトリガー式液体噴出器において、弁室内に、蓄圧弁の傘部と当接する少なくとも１個の突起部を形成することが好ましい。これにより、閉塞状態において蓄圧弁の傘部が付勢されるため、より低い送給圧でも傘部を弁座部から離反することができる。
【００１１】
さらに、弁室及び蓄圧弁をそれぞれ円形の正面視輪郭形状に形成し、これらを互いに偏心して配置することが好ましい。これにより、蓄圧弁を弁室に挿入した際に変形量が最も小さい部分において傘部が弁座部から離反しやすくなり、液体の噴出が開始される圧力が低下する。
【００１２】
さらにまた、弁室及び蓄圧弁のうち、一方を円形の正面視輪郭形状に形成し、他方を楕円形の正面視輪郭形状に形成し、これらを互いに同心に配置することが好ましい。これによれば、弁室が楕円形の正面視輪郭形状の場合にはその長径部分において、蓄圧弁が楕円形の正面視輪郭形状の場合にはその短径部分において、それぞれ傘部が弁座部から離反しやすくなり、液体の噴出が開始される圧力が低下する。
【００１３】
加えて、蓄圧弁の傘部は、基部側の端部から先端部までの縦断面長さが周方向において変化すること、あるいは、蓄圧弁の傘部は、周方向における少なくとも一部に、他の部分に比較して肉厚が小さい部分を設けることが好ましい。これにより、基部側の端部から先端部までの縦断面長さが最長となる位置、あるいは、肉厚が他の部分に比較して小さい位置において、傘部が弁座部から離反しやすくなり、液体の噴出が開始される圧力が低下する。
【００１４】
そして、この発明のトリガー式液体噴出器は、花粉ケア剤、帯電防止剤、しわ取り剤及び消臭剤の中から選択される液体を収容した容器に取り付けて使用することが好ましい。なお、ここでいう「花粉ケア剤」とは、衣類に付着した花粉に対し花粉の破裂防止など不活性化させる、或いは付着し難くする組成物をいい、「帯電防止剤」とは、衣類の静電気を防止する組成物をいい、「しわ取り剤」とは、衣類に生じる着用しわ、洗濯乾燥しわなどの回復を促す組成物をいい、「消臭剤」とは、衣類に付着したタバコ臭、焼肉臭などを吸着して臭わないようにする、或いは香料でマスキングする組成物をいうものとする。
【発明の効果】
【００１５】
この発明によれば、蓄圧弁を摺動させることなく確実に開閉することができるので、噴出すべき液体の物性の影響を受けることが少ない上、当接力が比較的小さい部分から順に蓄圧弁が開くため、操作レバーの牽曳に要する力を低減しながらも、液垂れを有効に抑制することが可能となる。
【発明を実施するための最良の形態】
【００１６】
以下、図面を用いて本発明をより具体的に説明する。
図１はこの発明に従うトリガー式液体噴出器の基本的な構成態様の縦断面を示したものであり、図２はその要部を拡大して示した図である。
【００１７】
図１に示すトリガー式液体噴出器（以下「噴出器」という。）１は、ボディ２と、このボディ２に枢支軸を介して揺動可能に取り付けられた操作レバー３と、一方の端部をボディ２に、他方の端部を操作レバー３にそれぞれ連結したポンプ４と、ボディ２の先端に取り付けつけられた噴射ノズル５とを備える。ボディ２は、図示しない容器の内部に通じるチューブ６を備え装着リング７を介して容器の口部に取り付けられるインテーク８と、このインテーク８に保持され液体の逆流を防止する吸入弁９と、インテーク８と噴射ノズル５を連通する送給経路１０を有する。
【００１８】
送給経路１０の末端と噴射ノズル５の間には、弁座部１１を備える弁室１２が形成されており、この弁室１２の内部には蓄圧弁１３が配設されている。この蓄圧弁１３は、ボディ２の先端に、又はボディ２の先端に配設された部材に嵌装され弁室１２内に蓄圧弁１３を固定する役割を果たす基部１４と、この基部１４の送給経路１０側の端部から噴射ノズル５側に向かって次第に径を拡大して延び、傘状に広がる傘部１５とからなる。この傘部１５は、ゴムや合成樹脂等の弾性を有する材料から形成されており、その外径が弁室１２の弁座部１１における内径よりも若干大きくなるように構成されている。これによって、蓄圧弁１３を弁室１２内に配設した際には、傘部１５が径方向内側に僅かに弾性変形した状態で弁座部１１に当接し、これら傘部１５と弁座部１１との間を液密に保つことができる。また、弁座部１１及び傘部１５の少なくとも一方の周方向における少なくとも一部には、これらの間の当接力が低くなる部分を設けている。
【００１９】
操作レバー３を繰り返して牽曳すると、ポンプ４が作動し、図示しない容器内の液体がインテーク８内に吸引され、ポンプ４内で加圧され、吸入弁９に向かって圧送される。圧送された液体は、吸入弁９を開き、送給経路１０内を通過して弁室１２に入る。弁室１２内の液体の圧力が傘部１５の弾性力に相当する規定圧力以下の場合には、傘部１５は弁座部１１に当接した状態を維持し、したがって送給経路１０と噴射ノズル５の間は蓄圧弁１３により閉塞されている。ポンプ４によって連続して液体の圧送が行われると、弁室１２内の液体の送給圧が上昇し、これが規定圧力を超えると、傘部１５が、弁座部１１に対する当接力の低い部分から順に、径方向内側に弾性的に変形して弁座部１１から離反する。この結果、弁室１２と蓄圧弁１３の間に隙間が生じ、この隙間を介して圧送された液体が噴射ノズル５に達し、ここから外界に向けて噴出される。
【００２０】
操作レバー３の牽曳を止めると、液体の圧送も停止するため、弁室１２内の液体の送給圧が次第に低下する。そして、送給圧が傘部１５の弾性力に相当する規定圧力以下になると、傘部１５が迅速に復元して再び弁座部１１に当接し、噴射ノズル５への液体の供給が遮断される。この結果、噴射ノズル５からの液体の噴出が停止する。
【００２１】
このように、この発明に従う噴出器では、蓄圧弁から摺動部を排除するとともに、蓄圧弁の傘部と弁室の弁座との間の当接力が低い部分を設けたことで、前記したような弁体の摺動により噴射ノズルへの液体の供給を制御する従来の噴出器の抱える問題点を解決し、操作レバーの牽曳に要する力を低減しながらも、液垂れを有効に抑制することができる。
【００２２】
図３は、この発明に従う噴出器の第一の実施例の要部の縦断面を示す。この実施例において、前記の基本的な構成態様と共通の部材については同一符号をもって示し、その説明を省略する。この実施例では、弁室１２内に傘部１５と当接する突起部１６を形成している。この突起部１６は、傘部１５の弾性力を弁座部１１と分担して支持するが、傘部１５と弁座部１１が依然として液密に当接できるような高さに構成されている。これにより、突起部１６を設けた部分が、他の部分に比較して弁座部１１に対する傘部１５の当接力が低い部分となる。したがって、突起部１６を設けた部分において、より低い送給圧をもって傘部１５が弁座部１１から離反を開始する。すなわち、前記離反は、突起部１６との当接部分から生じ易くなる。この結果、操作レバーの牽曳に要する力をより一層低減することができる。なお、突起部１６の数は１個に限定されず、周方向に複数個並べて配置することもできる。
【００２３】
図４はこの発明に従う噴出器の第二の実施例の要部の縦断面を示し、図５はこの噴出器の蓄圧弁１３の正面視輪郭の形状、すなわち図４に矢印Ａで示す方向から見た輪郭形状を示しており、実線は弁室１２に取り付ける前の状態を示しており、破線は弁室１２内に取り付けた後の状態を示している。この実施例においても、前記の基本的な構成態様と共通の部材については同一符号をもって示し、その説明を省略する。この実施例では、蓄圧弁１３は、図５に実線で示すような円形の正面視輪郭形状を有しており、この円の中心から偏心した状態で基部１４が設けられている。また、弁室１２も正面視形状が円形となるよう形成されている。したがって、図４に示すように、基部１４の中心軸が弁室１２の中心軸と一致するように蓄圧弁１３をボディ２の先端に嵌装すると、蓄圧弁１３の正面視輪郭形状である円と弁室１２の正面視輪郭形状である円とは互いに偏心して配置される結果、蓄圧弁１３は図５に破線で示すような、弁室１２の正面視輪郭形状に対応した形状に変形する。この状態では、弁室１２に取り付ける前後の傘部１５の変形量が小さい部分は、弁座部１１への当接力が小さくなる。このため、液体の送給圧が上昇した際に、この部分が相対的に早く変形し弁座部１１から離反する。この結果、操作レバーの牽曳に要する力をより一層低減することができる。
【００２４】
図６は、この発明に従う噴出器の第三の実施例の蓄圧弁１３の正面視輪郭の形状を示しており、実線は弁室１２に取り付ける前の状態を示しており、破線は弁室１２内に取り付けた後の状態を示している。この実施例では、弁室１２が円形の正面視輪郭形状を有し、蓄圧弁１３が楕円形の正面視輪郭形状を有しおり、これらの円と楕円が同心となるように、弁室１２に対して蓄圧弁１３を配置している。このため、蓄圧弁１３は、当初は図６に実線で示すような楕円形の正面視輪郭形状であるが、弁室１２内に挿入すると、弁室１２の正面視輪郭形状に対応して変形し、図６に破線で示すような円形の正面視形状に変形する。この状態では、弁室１２に取り付ける前後の傘部１５の変形量が小さい部分、すなわち当初の楕円形の正面視輪郭形状の短径部分は、弁座部１１への当接力が小さくなり、液体の送給圧が上昇した際に、この部分が相対的に早く変形し弁座部１１から離反する。この結果、操作レバーの牽曳に要する力をより一層低減することができる。
【００２５】
なお、図示は省略するが、弁室１２の正面視輪郭形状を楕円形に形成し、蓄圧弁１３の正面視輪郭形状を円形に形成し、これらの円と楕円が同心となるように、弁室１２に対して蓄圧弁１３を配置することもできる。この場合、弁室１２の楕円形の正面視輪郭形状の長径部分において、傘部１５の変形量が最も小さくなり、ここでの弁座部１１への当接力が小さくなることから、前記と同様に操作レバーの牽曳に要する力をより一層低減することができる。
【００２６】
図７は、この発明に従う噴出器の第四の実施例の要部の縦断面を示す。この実施例においても、前記の基本的な構成態様と共通の部材については同一符号をもって示し、その説明を省略する。この実施例では、蓄圧弁１３の傘部１５を、基部側の端部から先端部までのそれの縦断面長さａが周方向において変化するように形成している。すなわち、傘部１５を、正面視の輪郭形状が円形で、図７の上側に位置する部分で縦断面長さａが最大となり、下側に位置する部分で縦断面長さａが最小となり、これらの間で連続的に縦断面長さａが変化するように形成している。このように構成することで、縦断面長さａが最長となる位置、すなわち図７の例では上側の位置において、蓄圧弁１３の弁座部１１への当接力が小さくなり、液体の送給圧が上昇した際に、この部分が相対的に早く変形し弁座部１１から離反する。この結果、操作レバーの牽曳に要する力をより一層低減することができる。
【００２７】
図８は、この発明に従う噴出器の第五の実施例の蓄圧弁１３の背面視輪郭の形状、すなわち図４に矢印Ｂで示す方向からみた輪郭形状を示している。この実施例では、蓄圧弁１３の傘部１５を、径方向外側の輪郭形状が円形（図８では最外の円として表れる。）となり、径方向内側の輪郭形状が円形（図８では外側から２番目の円として表れる。）となり、これらを互いに偏心配置した状態となるように、すなわち傘部１５の肉厚が円周方向で変化するように形成している。これにより、蓄圧弁１３を弁室１２内に配置した際には、弁座部１１に対する当接力は、肉厚の大きい部分で高く、肉厚の小さい部分で低くなるので、操作レバーを牽曳し液体の送給圧が上昇すると、肉厚の小さい部分が相対的に早く変形し弁座部１１から離反する。この結果、操作レバーの牽曳に要する力をより一層低減することができる。
【００２８】
また、蓄圧弁の傘部が、周方向における少なくとも一部に、他の部分に比較して肉厚が小さい部分を有するような形状とすることで、操作レバーの牽曳に要する力を低減することもできる。例えば、図９に示す第六の実施例では、蓄圧弁１３の傘部１５を、径方向外側の輪郭形状が楕円形（図８では最外の円として表れる。）となり、径方向内側の輪郭形状が円形（図８では外側から２番目の円として表れる。）となり、これらを互いに同心配置した状態とすることで、径方向外側の輪郭形状の短径部で肉厚が最も小さくなり、長径部で肉厚が最も大きくなるように形成している。これにより、蓄圧弁１３を弁室１２内に配置した際には、弁座部１１に対する当接力は、肉厚の大きい部分で高く、肉厚の小さい部分で低くなるので、操作レバーを牽曳し液体の送給圧が上昇すると、肉厚の小さい部分が相対的に早く変形し弁座部１１から離反する。この結果、操作レバーの牽曳に要する力をより一層低減することができる。また、これとは逆に、傘部１５を、径方向外側の輪郭形状が円形となり、径方向内側の輪郭形状が楕円形となり、これらを互いに同心配置した状態に形成してもよい。
【００２９】
この発明に従うトリガー式液体噴出器を取り付ける容器に収容する液体は、噴射ノズルから噴射可能な性状のものであれば特に限定されないが、花粉ケア剤、帯電防止剤、しわ取り剤及び消臭剤から選択することが特に好ましい。これらの液体の組成の一例を以下に示す。
【００３０】
（花粉ケア剤）
例１：スノーテックスＡＫ（日産化学工業株式会社製）            ０．５質量％
下記一般式Ｉにおいて、R:メチル基、m=10、x=210、y=9      ０．５質量％
エタノール（試薬１級、甘糟化学産業株式会社製）          １５質量％
アーカード２１０（ライオンアクゾ株式会社）              ０．１質量％
ＰＥＧ＃４００（ライオン株式会社）                      ０．５質量％
香料                                                    ０．０１質量％
精製水                                                  残部
例２：アルミナゾル−５２０（日産化学工業株式会社製）          ０．５質量％
下記一般式Ｉにおいて、R:水素原子、m=15、x=70、y=3       １質量％
エタノール（試薬１級、甘糟化学産業株式会社製）          １０質量％
アーカード２１０（ライオンアクゾ株式会社）              ０．１質量％
ＰＥＧ＃４００（ライオン株式会社）                      ０．５質量％
香料                                                    ０．０１質量％
精製水                                                  残部
【００３１】
（帯電防止剤）
例３：シリカドール２０Ｐ（日本化学工業株式会社製）            ０．３質量％
下記一般式Ｉにおいて、R:水素原子、m=15、x=70、y=3       ０．５質量％
エタノール（試薬１級、甘糟化学産業株式会社製）          １０質量％
アーカードＴ−８００（ライオンアクゾ株式会社）          ０．１質量％
ヘキシレングリコール                                    １質量％
香料                                                    ０．０１質量％
精製水                                                  残部
例４：エタノール（試薬１級、甘糟化学産業株式会社製）          １５質量％
アーカード２１０（ライオンアクゾ株式会社）              ０．２質量％
ＰＥＧ＃３００（ライオン株式会社）                      ０．５質量％
香料                                                    ０．０１質量％
精製水                                                  残部
例５：ＳＨ３７４６（東レダウコーニング株式会社製）            ０．３質量％
２−プロパノール（鹿１級、関東化学株式会社製）          １０質量％
アーカード２１０（ライオンアクゾ株式会社）              ０．１質量％
ＰＥＧ＃１５００（ライオン株式会社）                    １質量％
香料                                                    ０．０１質量％
精製水                                                  残部
【００３２】
（しわ取り剤）
例６：下記一般式Ｉにおいて、R:水素原子、m=20、x=7、y=3        １質量％
エタノール（試薬１級、甘糟化学産業株式会社製）          １０質量％
香料                                                    ０．０１質量％
精製水                                                  残部
例７：下記一般式Ｉにおいて、R:水素原子、m=10、x=210、y=9      ０．５質量％
エタノール（試薬１級、甘糟化学産業株式会社製）          １５質量％
アーカード２１０（ライオンアクゾ株式会社）              ０．１質量％
香料                                                    ０．０１質量％
精製水                                                  残部
例８：ＳＨ３７７５（東レダウコーニング株式会社製）            ０．３質量％
エタノール（試薬１級、甘糟化学産業株式会社製）          １０質量％
アーカード２１０（ライオンアクゾ株式会社）              ０．１質量％
ジプロピレングリコール                                  ３質量％
香料                                                    ０．０１質量％
精製水                                                  残部
例９：Klebosol30CAL25（Clariant社製）                         ０．５質量％
下記一般式Ｉにおいて、R:水素原子、m=20、x=7、y=3        １質量％
エタノール（試薬１級、甘糟化学産業株式会社製）          １０質量％
アーカード２１０（ライオンアクゾ株式会社）              ０．１質量％
香料                                                    ０．０１質量％
精製水                                                  残部
例10：スノーテックスＡＫ（日産化学工業株式会社製）            ０．５質量％
下記一般式Ｉにおいて、R:メチル基、m=10、x=210、y=9      ０．５質量％
エタノール（試薬１級、甘糟化学産業株式会社製）          １５質量％
アーカード２１０（ライオンアクゾ株式会社）              ０．１質量％
香料                                                    ０．０１質量％
精製水                                                  残部
【００３３】
（消臭剤）
例11：スノーテックス２０（日産化学工業株式会社製）            ０．５質量％
エタノール（試薬１級、甘糟化学産業株式会社製）          １０質量％
香料                                                    ０．０１質量％
精製水                                                  残部
例12：スノーテックスＺＬ（日産化学工業株式会社製）           ０．５質量％
エタノール（試薬１級、甘糟化学産業株式会社製）          １０質量％
香料                                                    ０．０１質量％
精製水                                                  残部
例13：Klebosol30CAL25（Clariant社製）                        ０．５質量％
エタノール（試薬１級、甘糟化学産業株式会社製）          １５質量％
アーカード２１０（ライオンアクゾ株式会社）              ０．１質量％
香料                                                    ０．０１質量％
精製水                                                  残部
例14：アルミナゾル−５２０（日産化学工業株式会社製）          １質量％
エタノール（試薬１級、甘糟化学産業株式会社製）          １０質量％
アーカードＴ−８００（ライオンアクゾ株式会社）          ０．１質量％
香料                                                    ０．０１質量％
精製水                                                  残部
【００３４】
一般式Ｉ
【化１】
2008229445.tif 000003
【００３５】
上述したところは、この発明の実施形態の一部を示したにすぎず、この発明の趣旨を逸脱しない限り、これらの構成を相互に組み合わせたり、種々の変更を加えたりすることができる。
【産業上の利用可能性】
【００３６】
以上の説明から明らかなように、この発明によって、蓄圧弁を摺動させることなく確実に開閉することができるので、噴出すべき液体の物性の影響を受けることが少なく、操作レバーの牽曳に要する力を低減しながらも、液垂れを有効に抑制するトリガー式液体噴出器を提供することが可能となった。
【図面の簡単な説明】
【００３７】
【図１】この発明に従うトリガー式液体噴出器の基本的な構成態様の縦断面図である。
【図２】図１に示す噴出器の要部の拡大断面図である。
【図３】この発明に従う噴出器の第一の実施例の要部の縦断面図である。
【図４】この発明に従う噴出器の第二の実施例の要部の縦断面図である。
【図５】図４に示す噴出器の蓄圧弁の正面視輪郭形状を示す図である。
【図６】この発明に従う噴出器の第三の実施例の蓄圧弁の正面視輪郭形状を示す図である。
【図７】この発明に従う噴出器の第四の実施例の要部の縦断面図である。
【図８】この発明に従う噴出器の第五の実施例の蓄圧弁の背面視輪郭形状を示す図である。
【図９】この発明に従う噴出器の第六の実施例の蓄圧弁の背面視輪郭形状を示す図である。
【符号の説明】
【００３８】
１  トリガー式液体噴出器
２  ボディ
３  操作レバー
４  ポンプ
５  噴射ノズル
６  チューブ
７  装着リング
８  インテーク
９  吸入弁
１０  送給経路
１１  弁座部
１２  弁室
１３  蓄圧弁
１４  基部
１５  傘部
１６  突起部
【図１】
2008229445.tif 000004
【図２】
2008229445.tif 000005
【図３】
2008229445.tif 000006
【図４】
2008229445.tif 000007
【図５】
2008229445.tif 000008
【図６】
2008229445.tif 000009
【図７】
2008229445.tif 000010
【図８】
2008229445.tif 000011
【図９】
2008229445.tif 000012